(57)【要約】【課題】ＡＤＳＬ回線のスループットの速度を制御して適正なスループットを取得することができるＡＤＳＬモデムを提供することを目的とする。【解決手段】平行回路網で２線４線変換回路であるハイブリッド７と電話回線に接続するための回線インタフェース部１０との間に、ＡＤＳＬ回線の線路を擬似的に延長することが可能な擬似線路２０を配設した。【選択図】　図１
2004032237.tif 000002
【特許請求の範囲】
【請求項１】
平行回路網で２線４線変換回路であるハイブリッドと電話回線に接続するための回線インタフェース部との間に、ＡＤＳＬ回線の線路を擬似的に延長することが可能な擬似線路を配設したことを特徴とするＡＤＳＬモデム。
【請求項２】
請求項１に記載のＡＤＳＬモデムと、前記ＡＤＳＬモデムに電話回線を介して接続される局舎側装置とを有するＡＤＳＬモデムシステムであって、
前記局舎側装置は、前記電話回線を介して前記ＡＤＳＬモデムとの間で通信を行うことを特徴とするＡＤＳＬモデムシステム。
【発明の詳細な説明】
【０００１】
【発明の属する技術分野】
本発明は、宅内から高速常時インターネット接続を行うためのＡＤＳＬモデム、および、そのＡＤＳＬモデムを含むＡＤＳＬモデムシステムに関するものである。
【０００２】
【従来の技術】
近年、家庭内からのインターネット利用においては、ＡＤＳＬ等によるブロードバンド化が急速にすすんでおり、ＡＤＳＬを利用するためのＡＤＳＬモデムも普及してきている。ユーザは、そのＡＤＳＬモデムとＰＣとを接続して、高速かつ常時接続のインターネット通信を利用することができる。
【０００３】
図７は従来のＡＤＳＬモデムを示すブロック図である。
【０００４】
図７において、１はＰＣとの接続を行い、イーサネット等のフォーマットのデータが送受信されるＰＣインタフェース部（ＰＣＩ／Ｆ部）、２はモデム全体を制御するＣＰＵ、３はプログラムおよびデータが格納されたメモリ、４はチャネルを分割して変調をかけるモデム、５はアナログ信号を処理するアナログフロントエンド、６は送信信号、受信信号を増幅するアンプとしてのラインレシーバ、７は送信（アップストリーム）と受信（ダウンストリーム）の相互干渉をなくすための平行回路網で２線４線変換回路であるハイブリッド、８は電話回線を直流的に絶縁分離するトランス、９はコンデンサ、１０はコネクタ（ＲＪ４５等）としての回線インタフェース部（回線Ｉ／Ｆ部）、１１は音声信号とデータ信号とを分離するスプリッタである。
【０００５】
このように構成されたＡＤＳＬモデムにおいては、ＡＤＳＬモデム全体を制御するＣＰＵ２がメモリ３に格納されたプログラムに基づいて動作することでＡＤＳＬモデムとして動く。なお、図７ではスプリッタ１１とＡＤＳＬモデムとを分けて記載しているが、ＡＤＳＬモデム内にスプリッタが搭載されているＡＤＳＬモデムもある。
【０００６】
一般に、ＡＤＳＬモデムを設置するユーザ宅と、ＡＤＳＬモデムと通信する局舎側装置（ＤＳＬＡＭ）が設置してある局舎との回線距離が近い場合、ＡＤＳＬ回線のスループットは速くなるというＡＤＳＬの特性がある。しかしながら、逆にあまりにも回線距離が近すぎてＡＤＳＬ回線のスループットが速い場合、ＡＤＳＬモデムのＣＰＵの処理がそのＡＤＳＬ回線のスループットに追いつかなくなり、ＡＤＳＬモデムとして処理能力の低下をまねく場合がある。
【０００７】
【発明が解決しようとする課題】
このように、従来のＡＤＳＬモデムでは、ＡＤＳＬ回線のスループットが速い場合、ＡＤＳＬモデムのＣＰＵの処理がそのＡＤＳＬ回線のスループットに追いつかなくなり、ＡＤＳＬモデムとして処理能力の低下をまねく場合があるという問題点を有していた。
【０００８】
このＡＤＳＬモデムおよびＡＤＳＬモデムシステムでは、ＡＤＳＬ回線のスループットの速度を制御して適正なスループットを取得できることが要求されている。
【０００９】
本発明は、ＡＤＳＬ回線のスループットの速度を制御して適正なスループットを取得することができるＡＤＳＬモデム、および、ＡＤＳＬ回線のスループットの速度を制御して適正なスループットを取得することができるＡＤＳＬモデムシステムを提供することを目的とする。
【００１０】
【課題を解決するための手段】
上記課題を解決するために本発明のＡＤＳＬモデムは、平行回路網で２線４線変換回路であるハイブリッドと電話回線に接続するための回線インタフェース部との間に、ＡＤＳＬ回線の線路を擬似的に延長することが可能な擬似線路を配設した構成を備えている。
【００１１】
これにより、ＡＤＳＬ回線のスループットの速度を制御して適正なスループットを取得することができるＡＤＳＬモデムが得られる。
【００１２】
上記課題を解決するために本発明のＡＤＳＬモデムシステムは、上記ＡＤＳＬモデムと、上記ＡＤＳＬモデムに電話回線を介して接続される局舎側装置とを有するＡＤＳＬモデムシステムであって、局舎側装置は、電話回線を介して上記ＡＤＳＬモデムとの間で通信を行う構成を備えている。
【００１３】
これにより、ＡＤＳＬ回線のスループットの速度を制御して適正なスループットを取得することができるＡＤＳＬモデムシステムが得られる。
【００１４】
【発明の実施の形態】
本発明の請求項１に記載のＡＤＳＬモデムは、平行回路網で２線４線変換回路であるハイブリッドと電話回線に接続するための回線インタフェース部との間に、ＡＤＳＬ回線の線路を擬似的に延長することが可能な擬似線路を配設することとしたものである。
【００１５】
この構成により、ＡＤＳＬ回線のスループットの速度がＡＤＳＬモデムのＣＰＵの処理能力以上の速度である場合には、擬似線路でＡＤＳＬの線路長を延長することにより、擬似線路で延長した長さの分だけＡＤＳＬ回線のスループットを遅くすることができるので、適正なスループットの速度に設定することができ、ＡＤＳＬモデムのＣＰＵでの処理が可能となるという作用を有する。また、延長する線路の長さは、ＡＤＳＬモデムを設置および使用している宅内のユーザがＡＤＳＬの線路長を任意の長さに設定することができるので、ＡＤＳＬ回線のスループットの速度を任意の値に調整することが可能であるという作用を有する。
【００１６】
請求項２に記載のＡＤＳＬモデムシステムは、請求項１に記載のＡＤＳＬモデムと、ＡＤＳＬモデムに電話回線を介して接続される局舎側装置とを有するＡＤＳＬモデムシステムであって、局舎側装置は、電話回線を介してＡＤＳＬモデムとの間で通信を行うこととしたものである。
【００１７】
この構成により、擬似線路で延長する線路の長さを局舎側装置から遠隔設定することができるので、擬似線路にて延長する線路長は、宅内ユーザによる変更が可能であるだけでなく、遠隔設定することも可能になるという作用を有する。また、局舎側装置に接続されている全てのＡＤＳＬモデムに対する線路長の設定値を局舎側装置で管理することにより、接続されている全てのＡＤＳＬモデムに対するスループット値を一定にしたり、ユーザ毎に制限したりというように、局舎側装置から（ＡＤＳＬ事業者の装置側から）スループットの管理ができるようになるという作用を有する。
【００１８】
以下、本発明の実施の形態について、図１〜図６を参照しながら説明する。
【００１９】
（実施の形態１）
図１は、本発明の実施の形態１によるＡＤＳＬモデムを示すブロック図である。
【００２０】
図１において、１はＰＣとの接続を行い、イーサネット等のフォーマットのデータが送受信されるＰＣインタフェース部（ＰＣＩ／Ｆ部）、２はモデム全体を制御するＣＰＵ、３はプログラムおよびデータが格納されたメモリ、４はチャネルを分割して変調をかけるモデム、５はアナログ信号を処理するアナログフロントエンド、６は送信信号、受信信号を増幅するアンプとしてのラインレシーバ、７は送信（アップストリーム）と受信（ダウンストリーム）の相互干渉をなくすための平行回路網で２線４線変換回路であるハイブリッド、８は電話回線を直流的に絶縁分離するトランス、９はコンデンサ、１０はコネクタ（ＲＪ４５等）としての回線インタフェース部（回線Ｉ／Ｆ部）、１１は音声信号とデータ信号とを分離するスプリッタ、２０は線路長を制御可能な擬似線路である。なお、図１ではスプリッタ１０をＡＤＳＬモデムの外に記載しているが、ＡＤＳＬモデム内に搭載していてもよい。
【００２１】
図２は図１の擬似線路２０の簡略回路図である。
【００２２】
図２において、Ｒ０，Ｒ１，Ｒ２は抵抗器、Ｌはコイル、Ｃはコンデンサ、Ｓ１はスイッチである。なお、図２のＡ，Ｂ，Ｃ，Ｄは図１の擬似線路２０のＡ，Ｂ，Ｃ，Ｄに対応している。
【００２３】
図２において、スイッチＳ１をショートさせておけば擬似線路を使用しないこととなり、スイッチＳ１をオープンにすることで擬似線路を使用する（線路長を延長する）こととなる。つまり、スイッチＳ１のＯＮ／ＯＦＦで擬似線路を使用するか否かの設定ができる。これが擬似線路の基本的な動作である。
【００２４】
次に、より具体的な構成について説明する。
【００２５】
図３は図１の擬似線路２０を詳細に示す詳細回路図である。
【００２６】
図３において、Ｒ０，Ｒ１，Ｒ２は抵抗器、Ｌはコイル、Ｃはコンデンサ、Ｓ１，Ｓ２，Ｓ３はスイッチである。なお、図３のＡ，Ｂ，Ｃ，Ｄは図１の擬似線路２０のＡ，Ｂ，Ｃ，Ｄに対応している。
【００２７】
図４は図１のＡＤＳＬモデムの外観を示す斜視図である。
【００２８】
図４において、３１は擬似線路２０で線路を延長する際に延長する線路長を設定する線路長設定ボタン、３２は延長する線路の長さを表示するＬＣＤ、３３はＡＤＳＬモデム内の各状態を表すＬＥＤである。この例では、ボタン３１を１回押下する毎に［０ｋｍ］→［０．３ｋｍ］→［０．６ｋｍ］→［０ｋｍ］と０．３ｋｍ毎に線路長が延長され、再び０ｋｍに戻り、その線路長の値がＬＣＤ３２に表示される。なお、線路長設定ボタン３１はいかなる形態でもよく、要は線路長が設定できれるものであればよい。また、ＬＣＤ３２はＬＥＤ３３などのいかなる形態でもよく、要は延長した線路の長さが識別できるものであればよい。
【００２９】
延長距離と図３のスイッチＳ１〜Ｓ３の関係は次のようになる。
【００３０】
擬似線路での延長距離が０ｋｍの場合、スイッチＳ１をショートさせる。線路長設定ボタン３１で延長距離を０．３ｋｍに設定した場合、スイッチＳ１をオープン、スイッチＳ２をショート、スイッチＳ３をオープンとする。線路長設定ボタン３１で延長距離を０．６ｋｍに設定した場合、スイッチＳ１をオープン、スイッチＳ２をオープン、スイッチＳ３をオープンとする。以下同様に、擬似線路２０をより長く延長する場合は、図３の構成に、Ｒ１、Ｒ２、Ｌ、Ｃを増やしていけばよい。つまり、図３のＲ１、Ｒ２、Ｌ、Ｃの４種類の値が切り替わるようにして定数を変更することで、擬似線路２０の機能を実現することができる。
【００３１】
以上のように本実施の形態によれば、ＡＤＳＬ回線のスループットの速度が、ＡＤＳＬモデムのＣＰＵ２の処理能力以上である場合には、擬似線路２０でＡＤＳＬの線路長を延長することにより、擬似線路２０で延長した長さの分だけ、ＡＤＳＬ回線のスループットを遅くすることができ、ＡＤＳＬモデムのＣＰＵ２で処理可能となる適切なスループットが得られる。また、延長する線路の長さをＡＤＳＬモデムを設置および使用している宅内のユーザが任意の長さに設定することが可能である。つまり、ユーザがＡＤＳＬ回線のスループットの値を任意の値に調整する（下げる）ことが可能となる。
【００３２】
（実施の形態２）
図５は、本発明の実施の形態２によるＡＤＳＬモデムシステムを示す構成図であり、ＡＤＳＬモデムと局舎側装置（ＤＳＬＡＭ）とを電話回線で接続した場合を示す。
【００３３】
図５において、４１はインターネット網、４２はＤＳＬＡＭ（局舎側装置）、４３はＡＤＳＬモデム、４４はＰＣ、４５はＤＳＬＡＭ等の装置が設置してある局舎、４６はユーザ宅である。
【００３４】
このように構成されたＡＤＳＬモデムシステムについて、その動作を図６を用いて説明する。図６は図５のＡＤＳＬモデムシステムの動作を示すシーケンス図である。
【００３５】
ユーザ宅４６に設置されたＡＤＳＬモデム４３の擬似線路長を局舎４５のＤＳＬＡＭ４２から変更する場合、ＤＳＬＡＭ４２からＡＤＳＬモデム４３に対して「擬似線路長設定要求」のメッセージを送信する（Ｓ１）。「擬似線路長設定要求」のメッセージを受信したＡＤＳＬモデム４３は擬似線路２０内部のスイッチを切り替えて要求された線路長に設定する（Ｓ２）。設定が終了するとＡＤＳＬモデム４３からＤＳＬＡＭ４２へ「線路長設定確認」のメッセージを送信する（Ｓ３）。なお、ここでＤＳＬＡＭ４２とＡＤＳＬモデム４３との間で通信されるメッセージは、ＴＣＰ／ＩＰ上で作成されるメッセージでも、ＡＴＭ上で作成されるメッセージでも、ＡＤＳＬ上で作成されるメッセージでもいずれでもよい。すなわち、そのメッセージフォーマットはいかなるものでもよい。ＤＳＬＡＭ４２から設定する旨の信号がＡＤＳＬモデム４３に送信されればよい。また、ステップＳ３の確認メッセージは省略されてもよい。また、ＤＳＬＡＭ４２の代わりに局舎側に設置された同等の機能を持つ通信機器が、ＡＤＳＬモデム４３と上記メッセージをやりとりしてもよい。ここで、ステップＳ２の線路長の設定は、擬似線路２０を示す回路（図３）のスイッチＳ１〜Ｓ３の代わりに半導体スイッチを用いることで線路長の設定を行う。ＣＰＵ２からこの半導体スイッチを制御することで線路長の自動設定が可能となる。また、ステップＳ１のメッセージ受信、ステップＳ２の設定、ステップＳ３のメッセージ送信等の処理は、ＡＤＳＬモデム内のメモリ３に格納されているプログラムによってＣＰＵ２を介して行われる。
【００３６】
以上のように本実施の形態によれば、ＡＤＳＬモデム４３内の擬似線路２０にて延長する線路長を、局舎側装置（ＤＳＬＡＭ）４２から遠隔設定することが可能となる。また、ＤＳＬＡＭ４２に接続されている全てのＡＤＳＬモデム４３に対する線路長の設定値を局舎４５側で管理することにより、全てのＡＤＳＬモデム４３に対するスループット値を一定にしたり、ユーザ毎に制限したりというように、局舎４５側から（ＡＤＳＬ事業者側から）のスループットの管理ができるようになる。
【００３７】
【発明の効果】
以上説明したように本発明の請求項１に記載のＡＤＳＬモデムによれば、平行回路網で２線４線変換回路であるハイブリッドと電話回線に接続するための回線インタフェース部との間に、ＡＤＳＬ回線の線路を擬似的に延長することが可能な擬似線路を配設したことにより、ＡＤＳＬ回線のスループットの速度がＡＤＳＬモデムのＣＰＵの処理能力以上の速度である場合には、擬似線路でＡＤＳＬの線路長を延長することにより、擬似線路で延長した長さの分だけＡＤＳＬ回線のスループットを遅くすることができるので、適正なスループットの速度に設定することができ、ＡＤＳＬモデムのＣＰＵでの処理が可能となるという有利な効果が得られる。また、延長する線路の長さは、ＡＤＳＬモデムを設置および使用している宅内のユーザがＡＤＳＬの線路長を任意の長さに設定することができるので、ＡＤＳＬ回線のスループットの速度を任意の値に調整することが可能であるという有利な効果が得られる。
【００３８】
請求項２に記載のＡＤＳＬモデムシステムによれば、請求項１に記載のＡＤＳＬモデムと、ＡＤＳＬモデムに電話回線を介して接続される局舎側装置とを有するＡＤＳＬモデムシステムであって、局舎側装置は、電話回線を介してＡＤＳＬモデムとの間で通信を行うことにより、擬似線路で延長する線路の長さを局舎側装置から遠隔設定することができるので、擬似線路にて延長する線路長は、宅内ユーザによる変更が可能であるだけでなく、遠隔設定することも可能になるという有利な効果が得られる。また、局舎側装置に接続されている全てのＡＤＳＬモデムに対する線路長の設定値を局舎側装置で管理することにより、接続されている全てのＡＤＳＬモデムに対するスループット値を一定にしたり、ユーザ毎に制限したりというように、局舎側装置から（ＡＤＳＬ事業者の装置側から）スループットの管理ができるようになるという有利な効果が得られる。
【図面の簡単な説明】
【図１】本発明の実施の形態１によるＡＤＳＬモデムを示すブロック図
【図２】図１の擬似線路の簡略回路図
【図３】図１の擬似線路を詳細に示す詳細回路図
【図４】図１のＡＤＳＬモデムの外観を示す斜視図
【図５】本発明の実施の形態２によるＡＤＳＬモデムシステムを示す構成図
【図６】図５のＡＤＳＬモデムシステムの動作を示すシーケンス図
【図７】従来のＡＤＳＬモデムを示すブロック図
【符号の説明】
１　ＰＣインタフェース部（ＰＣＩ／Ｆ部）
２　ＣＰＵ
３　メモリ
４　モデム
５　アナログフロントエンド
６　ラインドライバ
７　ハイブリッド
８　トランス
９　コンデンサ
１０　回線インタフェース部（回線Ｉ／Ｆ部）
１１　スプリッタ
２０　擬似線路
３１　線路長設定ボタン
３２　ＬＣＤ
３３　ＬＥＤ
４１　インターネット網
４２　ＤＳＬＡＭ（局舎側装置）
４３　ＡＤＳＬモデム
４４　ＰＣ
４５　局舎
４６　ユーザ宅
Ｒ０、Ｒ１、Ｒ２　抵抗器
Ｌ　コイル
Ｃ　コンデンサ
Ｓ１、Ｓ２、Ｓ３　スイッチ
【図１】
2004032237.tif 000003
【図２】
2004032237.tif 000004
【図３】
2004032237.tif 000005
【図４】
2004032237.tif 000006
【図５】
2004032237.tif 000007
【図６】
2004032237.tif 000008
【図７】
2004032237.tif 000009